(57)【要約】【課題】  操作キーに対する操作に関して使い勝手の向上を図る。【解決手段】  表示画面５上に表示される複数の操作キー７、７、・・・がタッチパネル方式によって操作されて各種の処理が行われる情報処理装置１において、所定の操作キーにポインター８を合わせて該所定の操作キーを保持し、所定の操作キーを保持した状態でポインターを他の操作キー上に移動し、所定の操作キーを他の操作キー上に重ねた状態で所定の操作キーの保持を解除し、所定の操作キーと他の操作キーの双方の機能を同時に実行するようにした。【選択図】図７
2005352569.tif 000002
【特許請求の範囲】
【請求項１】
表示画面上に表示される複数の操作キーがタッチパネル方式によって操作されて各種の処理が行われる情報処理装置であって、
所定の操作キーにポインターを合わせて該所定の操作キーを保持し、
所定の操作キーを保持した状態でポインターを他の操作キー上に移動し、
所定の操作キーを他の操作キー上に重ねた状態で所定の操作キーの保持を解除し、
所定の操作キーと他の操作キーの双方の機能を同時に実行するようにした
ことを特徴とする情報処理装置。
【請求項２】
表示画面上に表示される複数の操作キーがタッチパネル方式によって操作されて各種の処理が行われる情報処理装置であって、
所定の操作キーにポインターを合わせて該所定の操作キーを保持し、
所定の操作キーを保持した状態でポインターを別の操作キー上に移動し上記所定の操作キーを該別の操作キー上に一定時間重ねて所定の操作キーとともに別の操作キーを保持し、
所定の操作キーと上記別の操作キーを保持した状態でポインターを他の操作キー上に移動し、所定の操作キー及び別の操作キーを上記他の操作キー上に重ねた状態で所定の操作キー及び別の操作キーの保持を解除し、
所定の操作キーと別の操作キーと他の操作キーの全ての機能を同時に実行するようにした
ことを特徴とする情報処理装置。
【請求項３】
上記別の操作キーが複数存在し、
所定の操作キーと上記複数の別の操作キーを保持した状態でポインターを他の操作キー上に移動するようにした
ことを特徴とする請求項２に記載の情報処理装置。
【請求項４】
表示画面上に表示される複数の操作キーがタッチパネル方式によって操作されて各種の処理が行われる情報処理装置における処理方法であって、
所定の操作キーにポインターを合わせて該所定の操作キーを保持し、
所定の操作キーを保持した状態でポインターを他の操作キー上に移動し、
所定の操作キーを他の操作キー上に重ねた状態で所定の操作キーの保持を解除し、
所定の操作キーと他の操作キーの双方の機能を同時に実行するようにした
ことを特徴とする情報処理装置における処理方法。
【請求項５】
表示画面上に表示される複数の操作キーがタッチパネル方式によって操作されて各種の処理が行われる情報処理装置における処理方法であって、
所定の操作キーにポインターを合わせて該所定の操作キーを保持し、
所定の操作キーを保持した状態でポインターを別の操作キー上に移動し所定の操作キーを該別の操作キー上に一定時間重ねて所定の操作キーとともに別の操作キーを保持し、
所定の操作キーと上記別の操作キーを保持した状態でポインターを他の操作キー上に移動し、所定の操作キー及び別の操作キーを上記他の操作キー上に重ねた状態で所定の操作キー及び別の操作キーの保持を解除し、
所定の操作キーと別の操作キーと他の操作キーの全ての機能を同時に実行するようにした
ことを特徴とする情報処理装置における処理方法。
【請求項６】
上記別の操作キーが複数存在し、
所定の操作キーと上記複数の別の操作キーを保持した状態でポインターを他の操作キー上に移動するようにした
ことを特徴とする請求項５に記載の情報処理装置における処理方法。
【請求項７】
表示画面上に表示される複数の操作キーがタッチパネル方式によって操作されて各種の処理が行われる情報処理装置における処理プログラムであって、
所定の操作キーにポインターが合わされたときに該所定の操作キーを保持する保持工程と、
所定の操作キーが保持された状態でポインターが他の操作キー上に移動され所定の操作キーが他の操作キー上に重ねられたときに所定の操作キーの保持を解除する保持解除工程とを備え、
保持解除工程の実行時に所定の操作キーと他の操作キーの双方の機能を同時に実行するようにした
ことを特徴とする情報処理装置における処理プログラム。
【請求項８】
表示画面上に表示される複数の操作キーがタッチパネル方式によって操作されて各種の処理が行われる情報処理装置における処理プログラムであって、
所定の操作キーにポインターが合わされたときに該所定の操作キーを保持する第１の保持工程と、
所定の操作キーが保持された状態でポインターが別の操作キー上に移動され上記所定の操作キーが該別の操作キー上に一定時間重ねられたときに所定の操作キーとともに別の操作キーを保持する第２の保持工程と、
所定の操作キーと上記別の操作キーが保持された状態でポインターが他の操作キー上に移動され所定の操作キー及び別の操作キーが上記他の操作キー上に重ねられたときに所定の操作キー及び別の操作キーの保持を解除する保持解除工程とを備え、
所定の操作キーと別の操作キーと他の操作キーの全ての機能を同時に実行するようにした
ことを特徴とする情報処理装置における処理プログラム。
【請求項９】
上記別の操作キーが複数存在し、
所定の操作キーと上記複数の別の操作キーを保持した状態でポインターを他の操作キー上に移動するようにした
ことを特徴とする請求項８に記載の情報処理装置における処理プログラム。
【発明の詳細な説明】
【技術分野】
【０００１】
本発明は情報処理装置、情報処理装置における処理方法及び情報処理装置における処理プログラムについての技術分野に関する。詳しくは、表示画面上に表示される複数の操作キーがタッチパネル方式によって操作されて各種の処理が行われる情報処理装置において、操作キーに対する操作に関して使い勝手の向上を図る技術分野に関する。
【背景技術】
【０００２】
パーソナルコンピューターに代表される情報処理装置は、一般に、ディスプレイを有し、このディスプレイに各種の情報を有する表示画面が表示される。
【０００３】
このようなディスプレイを有する情報処理装置には、ディスプレイに表示される表示画面に対して指や専用の入力ペン（スタイラス）を用いることにより選択操作や入力操作等の種々の操作を行うことができるものがあり、入力ペン等による操作は、所定の座標系を有するタブレット（タッチパネル）に対して行う。
【０００４】
上記のような情報処理装置には、表示画面上にソフトウェアキーボードと称される操作用の画面である仮想入力用画面を表示し、該仮想入力用画面の各操作キーを指や専用の入力ペンを用いてタップ操作することにより、所定の処理を実行することができるものがある。
【０００５】
上記のような情報処理装置にあっては、１つの操作キーの機能の実行処理は、入力ペン等により機能を実行させたい各操作キーをそれぞれタップ操作することにより行うことができるが、複数の操作キーの機能の同時の実行処理は、各複数の操作キーをそれぞれタップ操作することによっては行うことができない。
【０００６】
そこで、従来の情報処理装置にあっては、複数の操作キー、例えば、「コントロール」キー（Ｃｔｒｌ）と「Ｃ」キー（アルファベットのＣ）のような２つの操作キーの機能の同時の実行処理は、はじめに操作した操作キー（コントロールキー）をロック状態とし、次の操作キー（Ｃキー）を操作したときに、はじめに操作した操作キーのロックを解除することにより行うようにしているものがある。このような操作をすることにより、「コントロール」キーと「Ｃ」キーの場合には、例えば、予め選択した範囲の複写（コピー）機能を実行することができる。
【０００７】
また、従来の情報処理装置には、複数の操作キーの同時実行機能を、連続して複数回タップ操作する所謂ダブルタップ操作やトリプルタップ操作により行うようにしたものがある（例えば、特許文献１参照）。
【０００８】
【特許文献１】特開平９−４４２８５号公報
【発明の開示】
【発明が解決しようとする課題】
【０００９】
ところが、上記したような、はじめに操作した操作キーをロック状態とすることにより複数の操作キーの同時実行を行う従来の情報処理装置にあっては、はじめの操作キーを操作して一旦ロック状態とし、改めて、次の操作キーを操作することにより行うようにしているため、それぞれが別の操作であり、操作性が良好であるとは言い難く、また、連続した操作ではなく複数の段階を要する操作であるため、使用者にとっては複数の操作キーの機能の同時実行という操作を直感的に認識し難いという不都合もある。
【００１０】
また、２段階目以降の操作に関しては、使用者が意図した正しい操作キーを操作したかを確認する前に処理が実行されてしまうため、誤操作を引き起こすおそれもあった。
【００１１】
一方、上記したような、ダブルタップ操作やトリプルタップ操作により複数の操作キーの同時実行を行う従来の情報処理装置にあっては、ダブルタップ操作やトリプルタップ操作を行ったときに、使用者が何れのモードに変更されるかを予め認識しておく必要があり、操作時に、何れの操作キーの同時実行が行われるかどうかを直感的に認識することが困難であり、使い勝手が良好であるとは言い難かった。
【００１２】
そこで、本発明情報処理装置、情報処理装置における処理方法及び情報処理装置における処理プログラムは、上記した問題点を克服し、操作キーに対する操作に関して使い勝手の向上を図ることを課題とする。
【課題を解決するための手段】
【００１３】
本発明情報処理装置は、上記した課題を解決するために、所定の操作キーにポインターを合わせて該所定の操作キーを保持し、所定の操作キーを保持した状態でポインターを他の操作キー上に移動し、所定の操作キーを他の操作キー上に重ねた状態で所定の操作キーの保持を解除し、所定の操作キーと他の操作キーの双方の機能を同時に実行するようにしたものである。
【００１４】
別の本発明情報処理装置は、上記した課題を解決するために、所定の操作キーにポインターを合わせて該所定の操作キーを保持し、所定の操作キーを保持した状態でポインターを別の操作キー上に移動し上記所定の操作キーを該別の操作キー上に一定時間重ねて所定の操作キーとともに別の操作キーを保持し、所定の操作キーと上記別の操作キーを保持した状態でポインターを他の操作キー上に移動し、所定の操作キー及び別の操作キーを上記他の操作キー上に重ねた状態で所定の操作キー及び別の操作キーの保持を解除し、所定の操作キーと別の操作キーと他の操作キーの全ての機能を同時に実行するようにしたものである。
【００１５】
本発明情報処理装置における処理方法は、上記した課題を解決するために、表示画面上に表示される複数の操作キーがタッチパネル方式によって操作されて各種の処理が行われる情報処理装置における処理方法であって、所定の操作キーにポインターを合わせて該所定の操作キーを保持し、所定の操作キーを保持した状態でポインターを他の操作キー上に移動し、所定の操作キーを他の操作キー上に重ねた状態で所定の操作キーの保持を解除し、所定の操作キーと他の操作キーの双方の機能を同時に実行するようにしたものである。
【００１６】
別の本発明情報処理装置における処理方法は、上記した課題を解決するために、所定の操作キーにポインターを合わせて該所定の操作キーを保持し、所定の操作キーを保持した状態でポインターを別の操作キー上に移動し所定の操作キーを該別の操作キー上に一定時間重ねて所定の操作キーとともに別の操作キーを保持し、所定の操作キーと上記別の操作キーを保持した状態でポインターを他の操作キー上に移動し、所定の操作キー及び別の操作キーを上記他の操作キー上に重ねた状態で所定の操作キー及び別の操作キーの保持を解除し、所定の操作キーと別の操作キーと他の操作キーの全ての機能を同時に実行するようにしたものである。
【００１７】
本発明情報処理装置における処理プログラムは、上記した課題を解決するために、所定の操作キーにポインターが合わされたときに該所定の操作キーを保持する保持工程と、所定の操作キーが保持された状態でポインターが他の操作キー上に移動され所定の操作キーが他の操作キー上に重ねられたときに所定の操作キーの保持を解除する保持解除工程とを設け、保持解除工程の実行時に所定の操作キーと他の操作キーの双方の機能を同時に実行するようにしたものである。
【００１８】
別の本発明情報処理装置における処理プログラムは、上記した課題を解決するために、所定の操作キーにポインターが合わされたときに該所定の操作キーを保持する第１の保持工程と、所定の操作キーが保持された状態でポインターが別の操作キー上に移動され上記所定の操作キーが該別の操作キー上に一定時間重ねられたときに所定の操作キーとともに別の操作キーを保持する第２の保持工程と、所定の操作キーと上記別の操作キーが保持された状態でポインターが他の操作キー上に移動され所定の操作キー及び別の操作キーが上記他の操作キー上に重ねられたときに所定の操作キー及び別の操作キーの保持を解除する保持解除工程とを設け、所定の操作キーと別の操作キーと他の操作キーの全ての機能を同時に実行するようにしたものである。
【００１９】
従って、本発明情報処理装置、情報処理装置における処理方法及び情報処理装置における処理プログラムにあっては、所定の操作キーを他の操作キー上に重ねた状態で所定の操作を行うことにより複数の操作キーの機能が同時に実行される。
【発明の効果】
【００２０】
本発明情報処理装置は、表示画面上に表示される複数の操作キーがタッチパネル方式によって操作されて各種の処理が行われる情報処理装置であって、所定の操作キーにポインターを合わせて該所定の操作キーを保持し、所定の操作キーを保持した状態でポインターを他の操作キー上に移動し、所定の操作キーを他の操作キー上に重ねた状態で所定の操作キーの保持を解除し、所定の操作キーと他の操作キーの双方の機能を同時に実行するようにしたことを特徴とする。
【００２１】
従って、一連した操作を行うことにより２つの操作キーの機能を同時に実行することができ、２つの操作キーの機能の同時実行時の良好な操作性を確保することができると共に使用者において２つの操作キーの機能の同時実行という操作を直感的に認識し易くなる。
【００２２】
また、使用者が意図した正しい操作キーを操作したかを確認した上で操作キーの保持を解除することができ、誤操作の防止を図ることができる。
【００２３】
別の本発明情報処理装置は、表示画面上に表示される複数の操作キーがタッチパネル方式によって操作されて各種の処理が行われる情報処理装置であって、所定の操作キーにポインターを合わせて該所定の操作キーを保持し、所定の操作キーを保持した状態でポインターを別の操作キー上に移動し上記所定の操作キーを該別の操作キー上に一定時間重ねて所定の操作キーとともに別の操作キーを保持し、所定の操作キーと上記別の操作キーを保持した状態でポインターを他の操作キー上に移動し、所定の操作キー及び別の操作キーを上記他の操作キー上に重ねた状態で所定の操作キー及び別の操作キーの保持を解除し、所定の操作キーと別の操作キーと他の操作キーの全ての機能を同時に実行するようにしたことを特徴とする。
【００２４】
従って、一連した操作を行うことにより３つの操作キーの機能を同時に実行することができ、３つの操作キーの機能の同時実行時の良好な操作性を確保することができると共に使用者において３つの操作キーの機能の同時実行という操作を直感的に認識し易くなる。
【００２５】
また、使用者が意図した正しい操作キーを操作したかを確認した上で操作キーの保持を解除することができ、誤操作の防止を図ることができる。
【００２６】
請求項３に記載した発明にあっては、上記別の操作キーが複数存在し、所定の操作キーと上記複数の別の操作キーを保持した状態でポインターを他の操作キー上に移動するようにしたので、一連した操作を行うことにより４つ以上の操作キーの機能を同時に実行することができ、４つ以上の操作キーの機能の同時実行時の良好な操作性を確保することができると共に使用者において４つ以上の操作キーの機能の同時実行という操作を直感的に認識し易くなる。
【００２７】
また、使用者が意図した正しい操作キーを操作したかを確認した上で操作キーの保持を解除することができ、誤操作の防止を図ることができる。
【００２８】
本発明情報処理装置における処理方法は、表示画面上に表示される複数の操作キーがタッチパネル方式によって操作されて各種の処理が行われる情報処理装置における処理方法であって、所定の操作キーにポインターを合わせて該所定の操作キーを保持し、所定の操作キーを保持した状態でポインターを他の操作キー上に移動し、所定の操作キーを他の操作キー上に重ねた状態で所定の操作キーの保持を解除し、所定の操作キーと他の操作キーの双方の機能を同時に実行するようにしたことを特徴とする。
【００２９】
従って、一連した操作を行うことにより２つの操作キーの機能を同時に実行することができ、２つの操作キーの機能の同時実行時の良好な操作性を確保することができると共に使用者において２つの操作キーの機能の同時実行という操作を直感的に認識し易くなる。
【００３０】
また、使用者が意図した正しい操作キーを操作したかを確認した上で操作キーの保持を解除することができ、誤操作の防止を図ることができる。
【００３１】
別の本発明情報処理装置における処理方法は、表示画面上に表示される複数の操作キーがタッチパネル方式によって操作されて各種の処理が行われる情報処理装置における処理方法であって、所定の操作キーにポインターを合わせて該所定の操作キーを保持し、所定の操作キーを保持した状態でポインターを別の操作キー上に移動し所定の操作キーを該別の操作キー上に一定時間重ねて所定の操作キーとともに別の操作キーを保持し、所定の操作キーと上記別の操作キーを保持した状態でポインターを他の操作キー上に移動し、所定の操作キー及び別の操作キーを上記他の操作キー上に重ねた状態で所定の操作キー及び別の操作キーの保持を解除し、所定の操作キーと別の操作キーと他の操作キーの全ての機能を同時に実行するようにしたことを特徴とする。
【００３２】
従って、一連した操作を行うことにより３つの操作キーの機能を同時に実行することができ、３つの操作キーの機能の同時実行時の良好な操作性を確保することができると共に使用者において３つの操作キーの機能の同時実行という操作を直感的に認識し易くなる。
【００３３】
また、使用者が意図した正しい操作キーを操作したかを確認した上で操作キーの保持を解除することができ、誤操作の防止を図ることができる。
【００３４】
請求項６に記載した発明にあっては、上記別の操作キーが複数存在し、所定の操作キーと上記複数の別の操作キーを保持した状態でポインターを他の操作キー上に移動するようにしたので、一連した操作を行うことにより４つ以上の操作キーの機能を同時に実行することができ、４つ以上の操作キーの機能の同時実行時の良好な操作性を確保することができると共に使用者において４つ以上の操作キーの機能の同時実行という操作を直感的に認識し易くなる。
【００３５】
また、使用者が意図した正しい操作キーを操作したかを確認した上で操作キーの保持を解除することができ、誤操作の防止を図ることができる。
【００３６】
本発明情報処理装置における処理プログラムは、表示画面上に表示される複数の操作キーがタッチパネル方式によって操作されて各種の処理が行われる情報処理装置における処理プログラムであって、所定の操作キーにポインターが合わされたときに該所定の操作キーを保持する保持工程と、所定の操作キーが保持された状態でポインターが他の操作キー上に移動され所定の操作キーが他の操作キー上に重ねられたときに所定の操作キーの保持を解除する保持解除工程とを備え、保持解除工程の実行時に所定の操作キーと他の操作キーの双方の機能を同時に実行するようにしたことを特徴とする。
【００３７】
従って、一連した操作を行うことにより２つの操作キーの機能を同時に実行することができ、２つの操作キーの機能の同時実行時の良好な操作性を確保することができると共に使用者において２つの操作キーの機能の同時実行という操作を直感的に認識し易くなる。
【００３８】
また、使用者が意図した正しい操作キーを操作したかを確認した上で操作キーの保持を解除することができ、誤操作の防止を図ることができる。
【００３９】
別の本発明情報処理装置における処理プログラムは、表示画面上に表示される複数の操作キーがタッチパネル方式によって操作されて各種の処理が行われる情報処理装置における処理プログラムであって、所定の操作キーにポインターが合わされたときに該所定の操作キーを保持する第１の保持工程と、所定の操作キーが保持された状態でポインターが別の操作キー上に移動され上記所定の操作キーが該別の操作キー上に一定時間重ねられたときに所定の操作キーとともに別の操作キーを保持する第２の保持工程と、所定の操作キーと上記別の操作キーが保持された状態でポインターが他の操作キー上に移動され所定の操作キー及び別の操作キーが上記他の操作キー上に重ねられたときに所定の操作キー及び別の操作キーの保持を解除する保持解除工程とを備え、所定の操作キーと別の操作キーと他の操作キーの全ての機能を同時に実行するようにしたことを特徴とする。
【００４０】
従って、一連した操作を行うことにより３つの操作キーの機能を同時に実行することができ、３つの操作キーの機能の同時実行時の良好な操作性を確保することができると共に使用者において３つの操作キーの機能の同時実行という操作を直感的に認識し易くなる。
【００４１】
また、使用者が意図した正しい操作キーを操作したかを確認した上で操作キーの保持を解除することができ、誤操作の防止を図ることができる。
【００４２】
請求項９に記載した発明にあっては、上記別の操作キーが複数存在し、所定の操作キーと上記複数の別の操作キーを保持した状態でポインターを他の操作キー上に移動するようにしたので、一連した操作を行うことにより４つ以上の操作キーの機能を同時に実行することができ、４つ以上の操作キーの機能の同時実行時の良好な操作性を確保することができると共に使用者において４つ以上の操作キーの機能の同時実行という操作を直感的に認識し易くなる。
【００４３】
また、使用者が意図した正しい操作キーを操作したかを確認した上で操作キーの保持を解除することができ、誤操作の防止を図ることができる。
【発明を実施するための最良の形態】
【００４４】
以下に、本発明情報処理装置、情報処理装置における処理方法及び情報処理装置における処理プログラムの最良の形態を添付図面に従って説明する。
【００４５】
尚、本発明情報処理装置は、パーソナルコンピューター等の情報処理装置、ＰＤＡ（Personal Digital Assistant）、ネットワーク端末、携帯情報端末、ワークステーション、携帯電話等の各種の情報処理装置に広く適用することができ、本発明処理方法及び処理プログラムは、これらの各種の情報処理装置における処理方法及び処理プログラムに広く適用することができる。
【００４６】
情報処理装置１は筐体２に所要の各部が配置されて成る（図１参照）。筐体２は、例えば、横長の扁平な矩形状に形成され、前面２ａにディスプレイ３、例えば、液晶パネルが設けられている。
【００４７】
情報処理装置１にあっては、ディスプレイ３がタッチパネル（タブレット）とされており、ディスプレイ３に表示された表示画面の所定の位置を指や図示しない専用の入力ペン（スタイラス）によってタップ操作することにより選択操作や入力操作等の各種の操作を行うことができる。
【００４８】
図２は、情報処理装置のハードウェア構成例を示したものであり、装置本体部１００及び外部機器との接続用装置（インターフェース装置）２００を示している。
【００４９】
先ず、装置本体部１００内の構成について説明する。
【００５０】
制御中枢であるＣＰＵ１０１は、バス（FSB:Front Side Bus）を介して制御装置１０２に接続されている。制御装置１０２はメインメモリ１０３の制御やグラフィック機能に係る制御を担当し、主に大量データを高速に処理する役目をもつ。ＡＴ互換機では「ノースブリッジ」と呼ばれ、本例に示す制御装置１０２には、ＣＰＵ１０１、メインメモリ１０３、液晶表示デバイス等のグラフィック表示装置１０５（上記ディスプレイ３と同じ）、制御装置１０４が接続されている。
【００５１】
制御装置１０４は、ユーザインターフェース用の制御デバイス等を主に制御するものであり、デバイスのバスリンク等を行う。ＡＴ互換機では「サウスブリッジ」と呼ばれ、「PCI to ISA bridge」では、バス（ＰＣＩ:Peripheral Component Interconnect bus）を低速なバス（ＩＳＡ:Industry Standard Architecture bus等）に橋渡しする役目をもち、ＩＳＡコントローラ、ＩＤＥ（Integrated Drive Electronics）コントローラ等の機能を有する。
【００５２】
バス（ＰＣＩバス）には、無線通信用デバイス１０６としてのワイヤレス（無線式）ＬＡＮ（Ｗ−ＬＡＮ）や、外部メモリや外部機器との接続や制御を行うためのデバイス１０７が接続されている。外部メモリとしては、装置本体部１００への着脱が可能な半導体メモリ装置、例えば、スティック状のメモリ媒体のデータを読み書きするための制御用デバイス１０８や、カード型の記憶媒体等の制御用デバイス１０９が設けられている。また、デバイス１０７は外部機器との接続用インターフェース（例えば、シリアルデバイスをコンピュータに追加するためのハードウェアの仕様を定義する「IEEE 1394」等）の機能を有する。
【００５３】
制御装置１０４には、ＬＡＮ（Local Area Network）接続用デバイス１１０が接続されるとともに、タッチ式パネル等を用いた入力用デバイス１１１がＵＳＢ（Universal Serial Bus）ポートに接続されている。
【００５４】
補助記憶装置１１２には、例えば、磁気ディスクや光学式ディスクを用いたドライブ装置が用いられるが、本例では、ハードディスク等の大容量記憶媒体を用いたドライブ装置が用いられ、制御装置１０４（内のＩＤＥコントローラ）に接続される。
【００５５】
また、制御装置１０４に接続されているオーディオ信号処理部（Audio Codec）１１３は、ディジタル−アナログ変換されたオーディオ信号を、例えば、スピーカ１１４やヘッドフォン１１５に送出して音声を出力する。あるいは、マイクロフォンを備えた装置形態では、音声入力データをディジタル化する処理等を行う。
【００５６】
記憶装置１１６には、コンピュータを動作させるための制御プログラム等が格納されており、ＬＰＣ(Low Pin Count：シリアルバス）等を用いて制御装置１０４、１１７に接続されている。
【００５７】
制御装置１１７は、各種信号の制御を行う汎用装置であり、例えば、「ＥＣ」（Embedded Controller：組み込みコントローラ）が用いられ、キーボードコントローラの機能や、システムの電源制御やシステムの付加機能等について制御を行う（携帯型機器等ではマイクロコンピュータが搭載されている。）。尚、記憶装置１１６内の制御プログラムを変更することによってコンピュータの制御方法を変えることができる。
【００５８】
スティック型ポインティングデバイス（トラックポイント等）を構成する操作デバイス１１８（後述するポインティングデバイス４ｈ）は、制御装置１１７のポート（ＰＳ／２（Personal System/2）ポート等）に接続されている。また、装置本体部１００に設けられたスイッチや操作釦等を含む操作部１１９からの信号が制御装置１１７に送出される。
【００５９】
装置本体部１００に外部機器を直接的に接続するための接続部１２０としては、ＵＳＢコネクタが設けられており、接続部１２０は制御装置１１７に接続されている。
【００６０】
尚、図示しない電源部には、ＡＣアダプタからの商用電源電圧の供給、あるいは二次電池や燃料電池等を用いたバッテリパックからの直流電源供給が行われる。例えば、上記ＥＣ（制御装置１１７）は、ＡＣアダプタやバッテリパック等の接続や装着の状態を検出したり、バッテリ残量等を含む各種の管理情報を保持している。
【００６１】
次に、接続用装置２００の構成について説明する。
【００６２】
装置本体部１００については、コネクタ等の接続手段を介して接続用装置２００に接続することにより、図示しない外部機器との間で信号伝送が行われる。
【００６３】
ＶＧＡ(Video Grapthics Array)コネクタ等で外部ディスプレイ装置を接続するためのコネクタ部２０１は、装置本体部１００内の制御装置１０２に接続され、これにより外部ディスプレイ装置に対して画像信号等が出力される。
【００６４】
また、「IEEE 1394」規格に準拠した外部機器等を接続するためのコネクタ部２０２が、装置本体部１００内の上記デバイス１０７に接続され、ＬＡＮケーブル等を接続するためのコネクタ部２０３が装置本体部１００内の上記デバイス１１０に接続されるようになっている。
【００６５】
装置本体部１００内の制御装置１０４に接続される集線用デバイス２０４には、ＵＳＢハブが用いられ、本例では、接続用装置２００に４つのＵＳＢコネクタ２０５、２０５、…が付設され、各ＵＳＢコネクタ２０５、２０５、・・・が集線用デバイス２０４（ＵＳＢハブ）に接続されている。
【００６６】
筐体２の所定の位置には、複数の操作釦４、４、・・・が設けられている。操作釦４、４、・・・としては、例えば、センター釦４ａ、左釦４ｂ、右釦４ｃ、ズーム釦４ｄ、ローテーション釦４ｅ、エンター釦４ｆ、カーソルキー４ｇ、ポインティングデバイス４ｈ、ファンクション選択釦４ｉ、起動釦４ｊ、輝度変更釦４ｋ等が設けられている。
【００６７】
センター釦４ａ、左釦４ｂ、右釦４ｃはそれぞれマウスの各釦に相当する釦であり、ズーム釦４ｄはディスプレイ３に表示される表示画面５の拡大縮小を行う釦であり、ローテーション釦４ｅは表示画面５を９０°回転させる釦であり、エンター釦４ｆはキーボードのエンターキーに相当し操作の実行や確定を行う釦であり、カーソルキー４ｇはディスプレイ３に表示されるカーソルを上下左右に移動させる等の釦であり、ポインティングデバイス４ｈはディスプレイ３に表示されるポインターを移動させる等の釦であり、ファンクション選択釦４ｉは出力される音量の変更や外付けのディスプレイへの出力の切替等を行う釦であり、起動釦４ｊは特定のソフトウェアを起動する釦であり、輝度変更釦４ｋはディスプレイ３の輝度を変更する釦である。
【００６８】
ディスプレイ３には、使用者の操作によって所望の表示画面５が表示される（図３参照）。表示画面５は、情報処理装置１に実装された各ソフトウェアを実行することにより表示され、例えば、図３に示すように、文字情報、数字情報、記号情報等を入力することのできる表示画面５が表示される。このような表示画面５の表示は、例えば、情報処理装置１の電源投入後に表示される初期画面上に表示されるソフトウェアを実行するための各アイコンを、指や専用の入力ペンによって２回連続してタップ操作しダブルタップ操作することにより行われる。
【００６９】
表示画面５上には仮想入力用画面６を表示することができる（図３参照）。仮想入力用画面６は、例えば、ソフトウェアキーボードと称される操作用の画面であり、使用者は仮想入力用画面６の各操作キー７、７、・・・を指や専用の入力ペンを用いてタップ操作することにより所定の操作、例えば、文字情報等を表示画面５に入力することができる。
【００７０】
尚、仮想入力用画面６はソフトウェアキーボードに限られる必要はなく、情報を入力するための画面であればよく、例えば、携帯電話等に用いられる簡易的な入力画面であってもよい。
【００７１】
仮想入力用画面６の操作キー７、７、・・・としては、例えば、前の操作の段階に戻すため等のエスケープキー、文字を入力するための文字入力キー、入力した文字を削除するためのバックスペースキー、数字の入力が可能な数字キー、入力等を確定するためのエンターキー、入力文字を変換するためのキャプスロックキー、他のキーと組み合わせて使用され特定の機能を実行させるためのシフトキー、コントロールキー及びオルトキー、スペースを設ける等のためのスペースキー、カーソルの移動を行うためのカーソルキー等が設けられている。
【００７２】
情報処理装置１にあっては、操作キー７、７、・・・のうちの複数のものの機能を同時に実行することができる。
【００７３】
２つの操作キー７、７である所定の操作キーと他の操作キー、例えば、所定の操作キーとしての「コントロール」キー（Ｃｔｒｌ）と他の操作キーとしての「Ｃ」キー（アルファベットのＣ）の機能の同時の実行は、以下のようにして行うことができる（図４乃至図７参照）。
【００７４】
先ず、ポインティングデバイス４ｈを操作してポインター８を「コントロール」キー上に移動させる（図４参照）。尚、ポインター８の移動は表示画面５上で入力ペン等を移動させることにより行うことも可能である。
【００７５】
次に、入力ペン等を用いて「コントロール」キーを押圧操作（タップダウン）し、その状態を保つ。押圧操作が行われると、「コントロール」キーに関してのON_WM_LBUTTONDOWNメッセージが仮想入力用画面６を起動しているソフトウェアによって取得され、取得されたメッセージに基づいて「コントロール」キーが保持される（保持工程）。押圧操作したときにはポインター８の形状が変更される（図５参照）。
【００７６】
次に、「コントロール」キーを押圧操作した状態で、ポインター８を「Ｃ」キーへ向けて移動させる。ポインター８の移動により、保持状態にある「コントロール」キーが仮想キー７ａとなった状態で移動される（図６参照）。
【００７７】
最後に、「Ｃ」キー上に仮想キー７ａを重ねた状態（図７参照）で、押圧操作を解除する。押圧操作が解除されると、「コントロール」キーに関してのON_WM_LBUTTONUPメッセージが仮想入力用画面６を起動しているソフトウェアによって取得され、取得されたメッセージに基づいて「コントロール」キーの保持状態が解除される（保持解除工程）。
【００７８】
「コントロール」キー（仮想キー７ａ）に対する保持状態が解除されることにより、「コントロール」キーのキーメッセージVK_CONTROLと「Ｃ」キーのキーメッセージVK_Cが同時に発行され、「コントロール」キーの機能と「Ｃ」キーの機能が同時に実行され、例えば、複写（コピー）機能が実行される。
【００７９】
また、３つの操作キー７、７、７である所定の操作キーと別の操作キーと他の操作キー、例えば、所定の操作キーとしての「コントロール」キー（Ｃｔｒｌ）と別の操作キーとしての「オルト」キー（Ａｌｔ）と他の操作キーとしての「Ｉ」キー（アルファベットのＩ）の機能の同時の実行は、以下のようにして行うことができる（図４、図５、図８及び図９参照）。
【００８０】
先ず、ポインティングデバイス４ｈを操作してポインター８を「コントロール」キー上に移動させる（図４参照）。尚、ポインター８の移動は表示画面５上で入力ペン等を移動させることにより行うことも可能である。
【００８１】
次に、入力ペン等を用いて「コントロール」キーを押圧操作（タップダウン）し、その状態を保つ。押圧操作が行われると、「コントロール」キーに関してのON_WM_LBUTTONDOWNメッセージが仮想入力用画面６を起動しているソフトウェアによって取得され、取得されたメッセージに基づいて「コントロール」キーが保持される（第１の保持工程）。押圧操作したときにはポインター８の形状が変更される（図５参照）。
【００８２】
次に、「コントロール」キーを押圧操作した状態で、ポインター８を「オルト」キーへ向けて移動させる。ポインター８の移動により、保持状態にある「コントロール」キーは仮想キー７ａとなった状態で移動される（図８参照）。
【００８３】
次いで、仮想キー７ａを「オルト」キー上に一定時間重ねる。一定持間重ねた状態を保持すると、「オルト」キーに関してのON_WM_LBUTTONDOWNメッセージが仮想入力用画面６を起動しているソフトウェアによって取得され、取得されたメッセージに基づいて「コントロール」キーとともに「オルト」キーが保持される（第２の保持工程）。
【００８４】
続いて、「コントロール」キー（仮想キー７ａ）及び「オルト」キーを押圧操作した状態で、ポインター８を「Ｉ」キーへ向けて移動させる。ポインター８の移動により、保持状態にある「オルト」キーも仮想キー７ａとなった状態で移動される。
【００８５】
最後に、「Ｉ」キー上に２つの仮想キー７ａを重ねた状態（図９参照）で、押圧操作を解除する。押圧操作が解除されると、「コントロール」キーに関してのON_WM_LBUTTONUPメッセージ及び「オルト」キーに関してのON_WM_LBUTTONUPメッセージが仮想入力用画面６を起動しているソフトウェアによって取得され、取得されたメッセージに基づいて「コントロール」キー及び「オルト」キーの保持状態が解除される（保持解除工程）。
【００８６】
「コントロール」キー（仮想キー７ａ）及び「オルト」キー（仮想キー７ａ）に対する保持状態が解除されることにより、「コントロール」キーのキーメッセージVK_CONTROLと「オルト」キーのキーメッセージVK_MENUと「Ｉ」キーのキーメッセージVK_Iが同時に発行され、「コントロール」キーの機能と「オルト」キーの機能と「Ｉ」キーの機能が同時に実行され、例えば、印刷プレビューの表示機能が実行される。
【００８７】
尚、上記には、別の操作キーとして操作される操作キーが１つの場合（「オルト」キーのみ）について説明したが、別の操作キーとして操作される操作キー７は１つに限られることなく、２つ以上であってもよい。この場合には、第２の保持工程が繰り返し行われることにより、別の操作キーとして操作される複数の操作キー７、７、・・・が順に保持状態とされ、所定の操作キーと複数の別の操作キーと他の操作キーとしてそれぞれ操作される全ての操作キー７、７、・・・の機能が同時に実行される。
【００８８】
以上に記載した通り、情報処理装置１にあっては、所定の操作キー７にポインター８を合わせて該所定の操作キー７を保持し、該所定の操作キー７を他の操作キー７上に重ねた状態で所定の操作キー７の保持を解除することにより複数の操作キー７、７、・・・の機能を同時に実行するようにしている。
【００８９】
従って、一連した操作を行うことにより複数の操作キー７、７、・・・の機能を同時に実行することができ、複数の操作キー７、７、・・・の機能の同時実行時の良好な操作性を確保することができると共に使用者において複数の操作キーの機能の同時実行という操作を直感的に認識し易くなる。
【００９０】
また、操作キーを重ねた状態で操作するため、使用者が意図した正しい操作キーを操作したかを確認した上で操作キーの保持を解除することができ、誤操作の防止を図ることができる。
【００９１】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００９２】
【図１】図２乃至図９と共に本発明の最良の形態を示すものであり、本図は情報処理装置の斜視図である。
【図２】情報処理装置のハードウェア構成例を示したブロック図である。
【図３】仮想入力用画面が表示された状態を示す正面図である。
【図４】ポインターが所定の操作キー上に移動された状態を示す正面図である。
【図５】所定の操作キーが保持された状態を示す正面図である。
【図６】仮想キーが移動されている状態を示す正面図である。
【図７】仮想キーが他の操作キー上に移動された状態を示す正面図である。
【図８】仮想キーが別の操作キー上に移動された状態を示す正面図である。
【図９】２つの仮想キーが他の操作キー上に移動された状態を示す正面図である。
【符号の説明】
【００９３】
１…情報処理装置、５…表示画面、７…操作キー、８…ポインター
【図１】
2005352569.tif 000003
【図２】
2005352569.tif 000004
【図３】
2005352569.tif 000005
【図４】
2005352569.tif 000006
【図５】
2005352569.tif 000007
【図６】
2005352569.tif 000008
【図７】
2005352569.tif 000009
【図８】
2005352569.tif 000010
【図９】
2005352569.tif 000011